(57)【特許請求の範囲】
【請求項１】
上面に設けられた天板と、下面に設けられた底板と、側面に設けられた側面板とを少なくとも有し、金属製の筺体となるように形成された空気調和機の室外機において、
前記天板と前記側面板および前記底板と前記側面板とが、前記筺体の四隅でネジ留めされ、
前記ネジ留めされた前記筺体の四隅を、ネジが見えないように覆う樹脂製の樹脂カバーと、
前記天板と一体形成され、前記天板の端部を前記底板側に直角に折り曲げ、前記底板と水平になるようにさらに直角に折り曲げることによって構成される、もしくは、前記側面板と一体形成され、前記側面板の端部を前記天板側に直角に折り曲げ、前記天板と垂直になるようにさらに直角に折り曲げることによって構成されるネジ留め部を備え、
前記天板と前記側面板とは、前記ネジ留め部においてネジ留めされ、
前記樹脂カバーは、前記ネジ留め部を覆い、
前記ネジ留め部が、前記天板と一体形成され、前記天板を前記底板側に直角に折り曲げ、前記底板と水平になるようにさらに直角に折り曲げることによって構成される場合に、
前記ネジ留め部に排水路をさらに備え、
前記排水路は、前記ネジより内側を通るように設けられ、前記排水路の先端は、前記側面板の外側の側面に通じるように設けられる
ことを特徴とする空気調和機の室外機。
【請求項２】
上面に設けられた天板と、下面に設けられた底板と、側面に設けられた側面板とを少なくとも有し、金属製の筺体となるように形成された空気調和機の室外機において、
前記天板と前記側面板および前記底板と前記側面板とが、前記筺体の四隅でネジ留めされ、
前記ネジ留めされた前記筺体の四隅を、ネジが見えないように覆う樹脂製の樹脂カバーと、
前記天板と一体形成され、前記天板の端部を前記底板側に直角に折り曲げ、前記底板と水平になるようにさらに直角に折り曲げることによって構成される、もしくは、前記側面板と一体形成され、前記側面板の端部を前記天板側に直角に折り曲げ、前記天板と垂直になるようにさらに直角に折り曲げることによって構成されるネジ留め部を備え、
前記天板と前記側面板とは、前記ネジ留め部においてネジ留めされ、
前記樹脂カバーは、前記ネジ留め部を覆い、
前記ネジ留め部が、前記天板と一体形成され、前記天板を前記底板側に直角に折り曲げ、前記底板と水平になるようにさらに直角に折り曲げることによって構成される場合に、
前記ネジ留め部に排水路をさらに備え、
前記排水路は、前記ネジより内側を通るように設けられ、前記排水路の先端の一方が、背面板の外側の側面に通じるように設けられる
ことを特徴とする空気調和機の室外機。
【請求項３】
前記天板、前記底板、もしくは、前記側面板のいずれかに切り欠き穴を有し、前記樹脂カバーは爪を有しており、
前記爪が、前記切り欠き穴にひっかけられることにより、前記樹脂カバーが前記筺体に装着される
ことを特徴とする請求項１または請求項２記載の空気調和機の室外機。
【請求項４】
二つ以上の前記筺体が上下に積層する場合に、
積層用金具をさらに備え、
前記積層用金具を、下段の筺体と上段の筺体とに固定して前記下段の筺体と前記上段の筺体とをネジ留めによって連結し、
前記樹脂カバーは、前記ネジ留めされた積層用金具が見えないように覆う
ことを特徴とする請求項１または請求項２記載の空気調和機の室外機。
【発明の詳細な説明】
【技術分野】
【０００１】
この発明は、外観を向上した空気調和機の室外機に関するものである。
【背景技術】
【０００２】
空気調和機の室外機においては、室外機の筺体には、正面パネル、右側面パネル、左側面パネル、背面パネルを一体成形により形成し、各パネルの境界には波状部を形成して、この波状部を折り曲げることにより成形し、各パネルの接続に必要なネジ等を減少する技術が開示されている（特許文献１）。
【先行技術文献】
【特許文献】
【０００３】
【特許文献１】特開平９−１１２９６６号公報
【発明の概要】
【発明が解決しようとする課題】
【０００４】
しかしながら、特許文献１に開示されているような室外機は、天面パネルと左右側面パネルとをネジ止めしたネジがむき出しになっており、雨に濡れることなどにより錆びてしまうという課題があった。【０００５】
この発明は、上記のような課題を解決するためになされたものであり、室外機の板金筺体を構成する板金部品のネジ留め箇所を集中させて樹脂部品で覆うことにより、ネジの錆びを防止し、見栄え良く、容易に結合できる空気調和機の室外機を提供することを目的とする。
【課題を解決するための手段】
【０００６】
この発明に係る空気調和機の室外機は、上面に設けられた天板と、下面に設けられた底板と、側面に設けられた側面板とを少なくとも有し、金属製の筺体となるように形成された空気調和機の室外機において、前記天板と前記側面板および前記底板と前記側面板とが、前記筺体の四隅でネジ留めされ、前記ネジ留めされた前記筺体の四隅を、ネジが見えないように覆う樹脂製の樹脂カバーと、前記天板と一体形成され、前記天板の端部を前記底板側に直角に折り曲げ、前記底板と水平になるようにさらに直角に折り曲げることによって構成される、もしくは、前記側面板と一体形成され、前記側面板の端部を前記天板側に直角に折り曲げ、前記天板と垂直になるようにさらに直角に折り曲げることによって構成されるネジ留め部を備え、前記天板と前記側面板とは、前記ネジ留め部においてネジ留めされ、前記樹脂カバーは、前記ネジ留め部を覆い、前記ネジ留め部が、前記天板と一体形成され、前記天板を前記底板側に直角に折り曲げ、前記底板と水平になるようにさらに直角に折り曲げることによって構成される場合に、前記ネジ留め部に排水路をさらに備え、前記排水路は、前記ネジより内側を通るように設けられ、前記排水路の先端は、前記側面板の外側の側面に通じるように設けられることを特徴とする。
【発明の効果】
【０００７】
この発明に係る空気調和機の室外機によれば、筺体の四隅のネジ留めの接合部が樹脂カバーで覆われ、ネジが錆びることを防止することができる。また、凹凸の少ない平面を形成することで美観を向上させることができる。また、ネジ留めの場所を集中させることで組み立て性を向上させることができる。
【図面の簡単な説明】
【０００８】
【図１】この発明の実施の形態１に係る空気調和機の室外機の筺体の分解斜視図である。
【図２】図１のＡに示す部分を拡大した図である。
【図３】この発明の実施の形態１に係る空気調和機の室外機の板金の接合部に樹脂カバーを設置する例を示す図である。
【図４】樹脂カバーの取り付けの一例を説明する図である。
【図５】この発明の実施の形態１に係る空気調和機の室外機を積み重ねた一例を説明する図である。
【図６】図５のＢに示す部分について、積層時樹脂カバーをはずし、拡大した図である。
【図７】積層用金具の取り付け例を示す図である。
【図８】室外機を積層した場合に、接合部をカバーする積層時樹脂カバーの斜視図である。
【図９】この発明の実施の形態２に係る空気調和機の室外機に備えられた排水路の一例を示す図である。
【図１０】この発明の実施の形態３に係る空気調和機の室外機に備えられた排水路の一例を示す図である。
【発明を実施するための形態】
【０００９】
以下、この発明の実施の形態について、図面を参照しながら詳細に説明する。
実施の形態１．
図１は、この発明の実施の形態１に係る空気調和機の室外機１の筺体の分解斜視図である。なお、図１において、矢印ａの方向が正面とする。
図１に示すように、室外機１は、天板１０、左側面板１１、右側面板１２、前面板１３、背面板１４、底板１５とで筺体を形成する。なお、天板１０、左側面板１１、右側面板１２、前面板１３、背面板１４、底板１５は、板金で構成されており、天板１０と左側面板１１および右側面板１２、底板１５と左側面板１１および右側面板１２とは、筺体の四隅の側面でネジ留めされることにより接合される。天板１０と前面板１３および背面板１４、底板１５と前面板１３および背面板１４も適宜ネジ留めされることにより接合される。
【００１０】
図２は、図１のＡに示す部分を拡大した図である。
図２に示すように、天板１０には、天板１０と一体形成されたネジ留め部１６が設けられ、ネジ留め部１６を介して、室外機１の天板１０と左側面板１１、天板１０と前面板１３、天板１０と背面板１４とがそれぞれネジ留めされることで接合される。
ネジ留め部１６は、天板１０の端部を底板１５側に直角に折り曲げ、底板１５と水平になるようにさらに直角に折り曲げることによって構成される。つまり、直角に折り曲げられたネジ留め部１６により、筺体の角は窪んだ形状となっている。
なお、図２において、ネジ留め部１６は、天板１０と一体形成されることとしているが、これに限らず、左側面板１１と一体形成され、左側面板１１の端部を天板１０側に直角に折り曲げ、天板１０と垂直になるようにさらに直角に折り曲げることによって構成されるようにしてもよい。
なお、本願において、直角とは略直角のことであり、本願で述べる作用を奏する範囲であれば、ほぼ直角も含むものとする。また、水平、垂直とは略水平、略垂直のことであり、本願で述べる作用を奏する範囲であれば、ほぼ水平、ほぼ垂直も含むものとする。
【００１１】
また、図２では、天板１０と左側面板１１が３箇所ネジ留めされる構成としているが、これに限らず、筺体の四隅の側面でそれぞれネジ留めされているのであれば、ネジ留め箇所の数は適宜設定可能である。また、図２に示すように、ネジ留め部１６の前面板１３側の端および背面板１４側の端にそれぞれ前面板１３および背面板１４との接合部を設け、ネジ留めすることで前面板１３および背面板１４を接合させる。なお、図２においてはそれぞれ１箇所ネジ留めすることで接合させるようにしているが、これに限らず、ネジ留め箇所の数は適宜設定可能である。
【００１２】
また、図２は、室外機１の筺体の正面から見て右上の隅を示す図であるが、他の３隅においても同様に、天板１０と右側面板１２、あるいは、底板１５と左右側面板（右側面板１２、左側面板１１）とが接合される。
このように、筺体の四隅の側面でネジ留めされることで、天板１０と左右側面板、底板１５と左右側面板とが、ネジ留め部１６を介してネジ留めされることで接合される。
【００１３】
図３は、この発明の実施の形態１に係る空気調和機の室外機１の板金の接合部に樹脂カバー１７を設置する例を示す図である。なお、図３において、矢印ａの方向が正面とする。
図３に示すように、ネジ留めすることで接合され筺体を形成する室外機１の四隅の接合部に、合成樹脂で構成された樹脂カバー１７を被せる。
図４は、樹脂カバー１７の取り付けの一例を説明する図である。なお、図４は、図３に示すＢの部分を拡大した図である。
図４に示すように、左側面板１１と対向する面のネジ留め部１６には、切り欠き穴１８が設けられ、樹脂カバー１７の、天板１０と接合される面には、爪１９が設けられている。そして、切り欠き穴１８に、爪１９をひっかけることにより、樹脂カバー１７が室外機１の側面に取り付けられる。
【００１４】
なお、図４では、天板１０の左側面板１１と対向する面のネジ留め部１６に切り欠き穴１８を設ける構成としているが、これに限らず、ネジ留め部１６が左側面板１１と接する面に切り欠き穴１８を設け、その切り欠き穴１８と対向する樹脂カバー１７の辺に爪１９を設けて、樹脂カバー１７が室外機１の側面に取り付けられるように構成してもよい。
【００１５】
また、図４は、室外機１の筺体の、正面からみて右上の隅を示す図であるが、他の３隅においても同様に樹脂カバー１７が室外機１の側面に取り付けられる。例えば、室外機１の筺体の、正面からみて左上の隅であれば、天板１０の右側面板１２と対向する面もしくは接する面のネジ留め部１６に切り欠き穴１８を設け、切り欠き穴１８に対向する樹脂カバー１７の面に爪１９を設けて、切り欠き穴１８と樹脂カバー１７の爪１９をひっかけることで樹脂カバー１７が室外機１に取り付けられるようにすることができる。また、室外機１の筺体の、正面からみて右下の隅であれば、底板１５の左側面板１１と対向する面もしくは接する面のネジ留め部１６に切り欠き穴１８を設け、切り欠き穴１８に対向する樹脂カバー１７の面に爪１９を設けて、切り欠き穴１８と樹脂カバー１７の爪１９をひっかけることで樹脂カバー１７が室外機１に取り付けられる。また、室外機１の筺体の、正面からみて左下の隅であれば、底板１５の右側面板１２と接する面もしくは接する面のネジ留め部１６に切り欠き穴１８を設け、切り欠き穴１８に対向する樹脂カバー１７の面に爪１９を設けて、切り欠き穴１８と樹脂カバー１７の爪１９をひっかけることで樹脂カバー１７が室外機１に取り付けられる。
【００１６】
また、図４において、切り欠き穴１８および爪１９はそれぞれ２個としたが、これに限らず、１箇所でも３箇所以上でも、適宜設定可能である。また、ここでは、ネジ留め部１６に切り欠き穴１８と、樹脂カバー１７に爪１９を、それぞれ設けて樹脂カバー１７を取り付ける構成としたが、これに限らず、その他の取り付け方法を用いても構わない。
また、ここでは、樹脂カバー１７は、角が角ばった形状としたが、これに限らず、装着したときに筺体の四隅の角が丸くなるような形状としてもよい。
【００１７】
次に、複数の同一の室外機１を積層設置する場合について説明する。
図５は、この発明の実施の形態１に係る空気調和機の室外機１を積み重ねた一例を説明する図である。なお、ここでは、積層される側、つまり、下に設置される室外機１を下段の室外機１、積層する側、つまり、上に設置される室外機１を上段の室外機１とする。
室外機１の上に、同一の室外機１を積層設置する場合、図５に示すように、下段の室外機１と、上段の室外機１の接合部を覆うように積層時樹脂カバー２０を設置する。
図６は、図５のＣに示す部分について、積層時樹脂カバー２０をはずし、拡大した図である。
下段の室外機１と、上段の室外機１は、積層用金具２１で固定される。
積層用金具２１は、板金を６箇所直角に折り曲げて二段の山状の凸型に構成されており、図６に示すように、中央の凸部が、下段の室外機１と上段の室外機１とのスペーサの役割を果たす。
積層用金具２１が、下段の室外機１および上段の室外機１にそれぞれネジ留めされることにより、上下に積層された室外機１同士が固定される。
【００１８】
図７は、積層用金具２１の取り付け例を示す図である。なお、図７は、図６に示した部分を斜めから見た図である。
積層用金具２１は、直角に折れ曲げた金具の端が、下段の室外機１の天板１０および上段の室外機１の底板１５と平行になるようにして、中央の凸部が下段の室外機１の天板および上段の室外機１の底板１５に挟まれるように、つまり、直角に折れ曲がった金具の端が外側（室外機１の中央と反対側）を向くように取り付けられる。積層用金具２１は、下段の室外機１の天板１０の側面と接する部分、および、上段の室外機１の底板１５の側面と接する部分でネジ留めされる。なお、ここでは、図７に示すように、積層用金具２１は、下段の室外機１の天板１０の側面および上段の室外機１の底板１５の側面と接する位置で３箇所ネジ留めするものとしたが、これに限らず、２箇所以下としても４箇所以上してもよい。また、室外機１の天板１０または底板１５の側面とネジ留めするのではなく、ネジ留め部１６を介して側面板とネジ留めされるなど、ネジ留め位置については適宜設定すればよい。
また、積層用金具２１は、凸部を設けず、コの字型としてもよい。その場合、積層用金具２１のコの字の縦の辺は、室外機１を上下に積層したときに、下段の室外機１の天板１０と上段の室外機１の底板１５の間には空間ができるだけの長さになるようにする。
【００１９】
図８は、室外機１を積層した場合に、接合部をカバーする積層時樹脂カバー２０の斜視図である。
積層時樹脂カバー２０は、合成樹脂で形成されており、図８に示すように、爪１９を有し、室外機１の天板１０および底板１５の側面のネジ留め部１６の、積層用金具２１と重なる位置に設けられた切り欠き穴１８に爪１９をひっかけることで取り付けられる。なお、切り欠き穴１８は、積層用金具２１にも、室外機１に設けられた切り欠き穴１８まで貫通するように設けられている。
【００２０】
なお、図７，図８において、切り欠き穴１８および爪１９はそれぞれ２個としたが、これに限らず、１箇所でも３箇所以上でも、適宜設定可能である。また、図７，図８では、天板１０および底板１５の側面のネジ留め部１６の、積層用金具２１と重なる位置で積層時樹脂カバー２０がひっかけられるように切り欠き穴１８および爪１９をそれぞれ設ける構成としたが、これに限らず、ネジ留め部１６が左側面板１１と接する面に切り欠き穴１８を設け、その切り欠き穴１８と対向する積層時樹脂カバー２０の面に爪１９を設けて、積層時樹脂カバー２０が取りつけられる構成としてもよいし、その他の取り付け方法を用いても構わない。
また、図７は、下段の室外機１の筺体の、正面からみて右上の隅を示す図であるが、下段の室外機１の正面からみて左上の隅においても同様に積層用樹脂カバー２０が室外機１の側面に取り付けられる。
【００２１】
また、ここでは、２台の室外機１を上下に積層する場合について説明したが、さらに室外機１を３台以上積層する場合においても同様である。
以上のように、この実施の形態１によれば、樹脂カバー１７が室外機１の四隅の側面に取り付けられることで、接合部のネジが隠されるため、ネジの錆びを防ぐことができる。また、樹脂カバー１７がネジを覆うことで、外部からネジが見えず、凹凸の少ない平面を形成することで美観が向上する。また、ネジ留めの場所を筺体の四隅に集中させたので、組み立て性を向上させることができる。また、樹脂カバー１７で四隅が覆われていることで、人が接触した際の安全性をより高めることができる。また、室外機１を積層する場合においては、積層時樹脂カバー２０を用いることで、樹脂カバー１７同様、ネジの錆びを防ぐことができ、凹凸の少ない平面を形成するので、美観が向上する。
【００２２】
実施の形態２．
実施の形態１では、樹脂カバー１７を用いることでネジ留めのネジを覆い、ネジが錆びることを防止する実施の形態について説明した。この実施の形態２では、さらに、室外機１が排水路を備えることで、侵入した水を外部に流し、内部の機械部品等にも影響を与えないようにする実施の形態について説明する。
【００２３】
図９は、この発明の実施の形態２に係る空気調和機の室外機１に備えられた排水路の一例を示す図である。図９において、ａで示す方向が前面である。よって、図９は、室外機１を正面から見た場合の四隅のうち、右上の隅を示す図である。
図９に示すように、この実施の形態２の室外機１は、ネジ留め部１６の左側面板１１と接合される面において、ネジを避けるように迂回したコの字型の排水路２２を備えている。なお、排水路２２は、ネジよりも室外機１の内側を通る。その他の構成は、実施の形態１で説明したものと同様であるため、重複した説明を省略する。
【００２４】
図９に示すように、排水路２２は、ネジ留め部１６および左側面板１１をへこませて溝を形成したものであり、排水路２２の始点と終点は左側面板１１の外側の側面まで達している。なお、排水路２２の始点と終点が両方左側面板の外側の側面まで達していればなおよいが、これに限らず、排水路２２の始点と終点のいずれか一方が左側面板の外側の側面まで達しているようにしてもよい。
また、図９は、室外機１を正面から見た場合の四隅のうち、右上の隅を示す図であるが、反対側、つまり、室外機１を正面から見た場合の四隅のうち、左上の隅にも同様に排水路２２が備えられている。
【００２５】
以上のように、実施の形態２によれば、筺体を形成する天板１０などの板金と樹脂カバー１７との隙間から侵入した水を排水路２２によって外部に流し、室外機１の内部に備えられた機械部品等に影響を与えないようにすることができる。また、ネジ留め部１６のネジが錆びることをより防ぐことができる。
【００２６】
実施の形態３．
実施の形態２では、排水路２２を備え、板金と樹脂カバー１７との隙間から侵入した水を、室外機１の側面から外部に流すようにしていた。この実施の形態３では、板金と樹脂カバー１７との隙間から侵入した水を、室外機１の側面からではなく、背面から外部に流すようにする実施の形態について説明する。なお、排水路２２以外の構成については、実施の形態１，２で説明した室外機１と同様であるため、重複した説明を省略し、実施の形態１，２とは異なる排水路２２の構成についてのみ説明する。
【００２７】
図１０は、この発明の実施の形態３に係る空気調和機の室外機１に備えられた排水路の一例を示す図である。図１０において、ａで示す方向が前面である。よって、図１０は、室外機１を正面から見た場合の四隅のうち、右上の隅を示す図である。
図１０に示すように、この実施の形態３の室外機１は、ネジ留め部１６の左側面板１１と接合される面において、ネジよりも内側に、室外機１の前面から背面へとのびる一本の排水路２２を備えている。
【００２８】
排水路２２は、ネジ留め部１６および左側面板１１をへこませて溝を形成したものであり、排水路２２の室外機１の前面側の端は、ネジ留め部１６が前面板１３と接合する位置まで達し、排水路２２の室外機１の背面側の端は、背面板１４の外側の側面まで達している。
なお、図１０は、室外機１を正面から見た場合の四隅のうち、右上の隅を示す図であるが、反対側、つまり、室外機１を正面から見た場合の四隅のうち、左上の隅にも同様に排水路２２が備えられている。
【００２９】
以上のように、実施の形態３によれば、実施の形態２同様、筺体を形成する天板１０などの板金と樹脂カバー１７との隙間から侵入した水を排水路２２によって外部に流し、室外機１の内部に備えられた機械部品等に影響を与えないようにすることができる。また、接合部１６のネジが錆びることをより防ぐことができる。また、侵入した水が室外機１の背面から外部に排出されるため、水の流れた後などが見えない位置にくるので、実施の形態２と比べ、より美観が向上する。
【００３０】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００３１】
この発明に係る空気調和機の室外機は、筺体の四隅のネジ留めの接合部が樹脂カバーで覆われ、ネジが錆びることを防止することができるため、見栄え良く、容易に結合できる空気調和機の室外機などに適用することができる。
【符号の説明】
【００３２】
１  室外機、１０  天板、１１  左側面板、１２  右側面板、１３  前面板、１４  背面板、１５  底板、１６  ネジ留め部、１７  樹脂カバー、１８  切り欠き穴、１９  爪、２０  積層時樹脂カバー、２１  積層用金具、２２  排水路。
【図１】
0005921729.tif 000002
【図２】
0005921729.tif 000003
【図３】
0005921729.tif 000004
【図４】
0005921729.tif 000005
【図５】
0005921729.tif 000006
【図６】
0005921729.tif 000007
【図７】
0005921729.tif 000008
【図８】
0005921729.tif 000009
【図９】
0005921729.tif 000010
【図１０】
0005921729.tif 000011